(57)【特許請求の範囲】
【請求項１】
固定床反応器の入り口から第一水素化域、第二水素化域、第三水素化域とし、第一水素化域にはアルミナを主成分とする多孔質担体にコバルトとモリブデンを担持した触媒を全触媒量に対して２０〜６０容量％充填し、第二水素化域にはアルミナまたはアモルファスシリカアルミナ８５〜９９重量％とゼオライト１〜２０重量％とを含む多孔質担体にニッケルとタングステンを担持した触媒を全触媒量に対して２０〜６０容量％充填し、第三水素化域にはアルミナを主成分とする多孔質担体にコバルト及び／又はニッケルと、モリブデンを担持した触媒を全触媒量に対して１０〜３０容量％充填した軽油の水素化脱硫装置。
【請求項２】
固定床反応器の入り口から第一水素化域、第二水素化域、第三水素化域とし、第一水素化域にはアルミナを主成分とする多孔質担体にコバルトとモリブデンを担持した触媒を全触媒量に対して２０〜６０容量％充填し、第二水素化域にはアルミナまたはアモルファスシリカアルミナ８５〜９９重量％とゼオライト１〜２０重量％とを含む多孔質担体にニッケルとタングステンを担持した触媒を全触媒量に対して２０〜６０容量％充填し、第三水素化域にはアルミナを主成分とする多孔質担体にコバルト及び／又はニッケルと、モリブデンを担持した触媒を全触媒量に対して１０〜３０容量％充填し、温度３２０〜４２０℃、圧力５〜１５ＭＰａ、ＬＨＳＶ０．５〜３ｈ-1、水素／油比１０００〜５０００ｓｃｆｂの条件下で、第一水素化域、第二水素化域、第三水素化域の順で沸点２２０〜３８０℃の硫黄を含有する石油系炭化水素の軽油留分を通油して水素化脱硫する軽油の水素化脱硫方法。
【請求項３】
温度３２０〜３７０℃、圧力１０〜１５ＭＰａ、ＬＨＳＶ０．５〜２ｈ-1、水素／油比１０００〜５０００ｓｃｆｂの条件下で、第一水素化域、第二水素化域、第三水素化域の順で、硫黄を含有する石油系炭化水素の軽油留分を通油して水素化脱硫し、生成物の硫黄含有量が０．００５重量％以下でかつ色相がセイボルトカラー＋２０以上である、請求項２記載の軽油の水素化脱硫方法。
【発明の詳細な説明】
【０００１】
【発明の属する技術分野】
本発明は、沸点２２０〜３８０℃の硫黄を含有する石油系炭化水素の軽油留分を水素化脱硫する際に、特定の工程の組合せと、特定の触媒を特定の割合で使用し、又特定の反応条件で軽油を深度脱硫する方法と、その方法に有効に利用できる装置に関する。
【０００２】
【従来の技術】
原油の蒸留によって得られる直留軽油や重油の分解によって得られる分解軽油は硫黄化合物を含んでおり、その量は硫黄として１〜３重量％である。硫黄化合物を含む軽油をディーゼル燃料として使用するとＳＯｘとして大気中に排出され環境を汚染する。そのため通常これら軽油は水素化脱硫処理され硫黄化合物を除去した後に燃料として使用される。ディーゼル燃料に含まれる硫黄分の量はＪＩＳ規格でその許容値が０．０５重量％以下と定められており、この値を達成するために大型の脱硫装置が建設され使用されている。さらに今後、排気ガス中のＮＯｘを還元処理する浄化触媒をディーゼル車に搭載したり、排気ガスの一部を循環再使用（ＥＧＲ）するためにはさらに硫黄分の量を低下させる必要があるといわれている。
【０００３】
従来、軽油留分の脱硫にはアルミナを主成分とする多孔質担体にコバルトあるいはニッケルとモリブデンを担持した触媒が使用されてきた。しかしながら、この従来触媒では４−メチルジベンゾチオフェンや４，６−ジメチルジベンゾチオフェンが脱硫され難く、脱硫された製品の硫黄含有量が０．０５重量％あるいはそれ以下のレベルまで脱硫するためには反応温度や圧力を非常に高くしなければならず、装置の建設コストや運転コストが極めて大きくなるという問題点がある。
これら難脱硫性の硫黄化合物に対して脱硫活性を高める方法として、触媒の担体にリンやホウ素を含有させた触媒（特開昭５２−１３５０３号）やゼオライトを担体に加えた触媒（特開平７−１９７０３９）などが報告されている。これらの触媒にはブレンシュテッド酸点が存在し、（ジ）メチルジベンゾチオフェンのメチル基を異性化したりフェニル基を水素化する能力が高く、４−メチルジベンゾチオフェンや４，６−ジメチルジベンゾチオフェンの脱硫に対して高い活性を示す。
【０００４】
しかしながら、上記の担体にリンやホウ素あるいはゼオライトを担体に加えた触媒は、アルキルベンゾチオフェン類や４−あるいは６−位置にアルキル置換基を持たないジベンゾチオフェン類、例えばジベンゾチオフェン、１−、２−または３−メチルベンゾチオフェン等に対する脱硫活性が、従来から使用されてきたアルミナ担体にコバルトとモリブデンを担持した触媒より劣る欠点がある（F. van Looijら, Applied Catalysis A: General 170, 1-12 (1998））。又、ブレンシュテッド酸点が存在するため、製品が着色しやすく、オレフィンを含む原料を使用する場合や３５０℃以上の高温で反応に用いた場合はチオールやスルフィドが生成して脱硫率が低下する欠点もある。さらにブレンシュテッド酸点でオレフィン成分が重合してコーク析出し、触媒の失活が速いという大きな問題点もある。上記触媒を用いた場合は特に、原料油にオレフィンが含まれていない場合でも、硫黄化合物が脱硫される場合にはオレフィンを生成するのでコークの析出の原因となる。このことは、チオフェンを通油した場合のコーキング速度がオレフィンや芳香族を通油した場合のコーキング速度の１０倍にも達することから理解できる(Catalysis Review, 24, (3), 343 (1982)）。
【０００５】
上記の各触媒を用いても０．０５重量％あるいはそれ以下のレベルまで脱硫するのは難しく、方法及び反応装置の面から深度脱硫を達成する研究もなされている。例えば、特開平７−１０２２６６には反応条件の異なる２段階の反応によって色相を悪化させることなく深度脱硫を行う方法が提案されており、また特開平５−３１１１７９には蒸留によって脱硫の容易な軽質留分と脱硫し難い重質留分に分離し、それぞれを別々に水添脱硫後それぞれの生成物を一体化して深度脱硫を達成する方法が提案されている。しかしながら、反応条件の異なる２段階の反応によって色相を悪化させることなく深度脱硫を行う方法は色相の改善には効果があるものの深度脱硫をさらに進める効果はほとんどなく、蒸留によって脱硫の容易な軽質留分と脱硫し難い重質留分に分離し、それぞれを別々に水添脱硫後それぞれの生成物を一体化して深度脱硫を達成する方法にしても、脱硫し難い重質留分に対しては高温・高圧を要するなど問題点が多い。
このように公知の技術には問題点が多く、直ちに軽油の深度脱硫に使用して硫黄分の低い良質の軽油の効率的製造が困難であった。
【０００６】
【発明が解決しようとする課題】
本発明の目的は、前記従来の問題点を解決し、硫黄分の極めて少ない、色相の良い、優れた性能を有する軽油を、温度、圧力などの処理条件を厳しく設定することなく、又特殊な触媒、機器構成、装置を必要とすることなく、コークの抑制をすると共に、触媒活性の長期化を図り、簡便な工程により、効率的に深度脱硫により得るための装置及び方法を提供することにある。
【０００７】
【課題を解決するための手段】
本発明者らは前記の課題を解決するため、鋭意研究した結果、特定の工程の組合せ、更には特定の触媒を特定の割合で使用し、かつ特定の水素化脱硫条件を組合せることにより軽油を効率的に深度脱硫する装置及び方法を見出し、本発明を完成するに至った。
本発明にかかる装置は、固定床反応器の入り口から第一水素化域、第二水素化域、第三水素化域とし、第一水素化域にはアルミナを主成分とする多孔質担体にコバルトと、モリブデンを担持した触媒を全触媒量に対して２０〜６０容量％充填し、第二水素化域にはアルミナまたはアモルファスシリカアルミナ８５〜９９重量％とゼオライト１〜２０重量％とを含む多孔質担体にニッケルとタングステンを担持した触媒を全触媒量に対して２０〜６０容量％充填し、第三水素化域にはアルミナを主成分とする多孔質担体にコバルト及び／又はニッケルと、モリブデンを担持した触媒を全触媒量に対して１０〜３０容量％充填した軽油の水素化脱硫装置である。触媒としては、シリカ、アルミナ、マグネシア、チタニア、シリカ−アルミナ、アルミナ−ジルコニア、アルミナ−チタニア、アリミナ−ボリア、アルミナ−クロミア、シリカ−アルミナ−マグネシア、シリカ−アルミナ−ジルコニアなどを担体として、VIII族の金属（コバルト、ニッケル、鉄、ロジウム、パラジウム、白金など）と、VI族の金属（モリブデン、タングステン、クロムなど）とを組合せて担持させたものが使用できるが、高価で特殊な触媒を用いることなく、通常の水素化脱硫触媒、すなわち多孔質担体にコバルト及び又はニッケルとモリブデンまたはタングステンを担持した触媒が有効に使用できる。第１水素化域の触媒としては、アルミナを主成分とする（アルミナ９５％〜１００％で、その他の含有成分、リン、マグネシウム、カルシウムを５％まで含むことができる。）多孔質担体にコバルトとモリブデンを担持した触媒を使用すると、アルキルベンゾチオフェン類と４−あるいは６−位置にアルキル置換基を持たないジベンゾチオフェン類の脱硫効率が、他の触媒に比べてよいので有利である。加えて、この触媒は、４−メチルジベンゾチオフェンや４，６−ジメチルジベンゾチオフェンに対する脱硫活性は格別には高くないが、これら難脱硫性の硫黄化合物もその９０重量％以上を脱硫することができるので、最も優れている。以上のとおり、第一水素化域で使用する触媒としては、アルミナを主成分とする多孔質担体にコバルトと、モリブデンを担持した触媒を全触媒量に対して２０〜６０容量％充填したものが最適である。
【０００８】
本発明の方法は、固定床反応器の入り口から第一水素化域、第二水素化域、第三水素化域とし、第一水素化域にはアルミナを主成分とする多孔質担体にコバルトと、モリブデンを担持した触媒を全触媒量に対して２０〜６０容量％充填し、第二水素化域にはアルミナまたはアモルファスシリカアルミナ８５〜９９重量％とゼオライト１〜２０重量％とを含む多孔質担体にニッケルとタングステンを担持した触媒を全触媒量に対して２０〜６０容量％充填し、第三水素化域にはアルミナを主成分とする多孔質担体にコバルト及び／又はニッケルと、モリブデンを担持した触媒を全触媒量に対して１０〜３０容量％充填し、温度３２０〜４２０℃、圧力５〜１５ＭＰａ、ＬＨＳＶ０．５〜３ｈ-1、水素／油比１０００〜５０００ｓｃｆｂの条件下で、第一水素化域、第二水素化域、第三水素化域の順で沸点２２０〜３８０℃の硫黄を含有する石油系炭化水素の軽油留分を通油して水素化脱硫する軽油の水素化脱硫方法である。なお、第一水素化域において、コバルトに換えてニッケルを使用することもできるが、コバルトの方が、第一水素化域で、アルキルベンゾチオフェン類や４−あるいは６−位置にアルキル置換基を持たないジベンソチオフェン類、例えばジベンゾチオフェン、１−、２−または３−メチルベンゾチオフェン等に対する脱硫活性が優れているので好ましい。
更に本発明の方法は、温度３２０〜３７０℃、圧力１０〜１５ＭＰａ、ＬＨＳＶ０．５〜２ｈ-1、水素／油比１０００〜５０００ｓｃｆｂの条件下で、第一水素化域、第二水素化域、第三水素化域の順で、硫黄を含有する石油系炭化水素の軽油留分を通油して水素化脱硫し、生成物として硫黄含有量０．００５重量％以下でかつ色相がセイボルトカラー＋２０以上である軽油の水素化脱硫方法に係る。
【０００９】
【発明の実施の形態と作用】
本発明の実施の形態と作用について説明する。本発明者は、従来の技術の問題点を詳細に検討し、様々な方法、構成要素などを試験・研究した結果、全ての水素化脱硫処理で、まず、原料軽油中に含まれる硫黄化合物の内、アルキルベンゾチオフェン類と４−あるいは６−位置にアルキル置換基を持たないジベンゾチオフェン類の脱硫をほぼ完全に達成することが、その後の水素化脱硫処理で、高価な特殊の触媒を用いたり、又厳しい水素化脱硫条件を設定したりすることなく、所期の優れた性状の軽油を効率的に得るための最も重要な第一のキーポイントであることを究明した。その後処理においても、順次４−メチルジベンゾチオフェンや４，６−ジメチルジベンゾチオフェンの水素化脱硫を効率的に行い、その後に着色の原因となるチオール、スルフィドを水素化脱硫することが重要であるとの知見を得た。本発明の装置と方法は、その知見に基づき、その作用を最大限に発揮できる、特定の触媒の組合せと、更にその触媒の能力を最も有効に活用できる水素化脱硫条件を特定したものである。
【００１０】
そこで、本発明における各水素化域における触媒とその役割は次の通りである。まず、第一水素化域にはアルミナを主成分とする多孔質担体にコバルトと、モリブデンを担持した触媒を全触媒量に対して２０〜６０容量％用いる。この触媒は、４−メチルジベンゾチオフェンや４，６−ジメチルジベンゾチオフェン以外の硫黄化合物、すなわち軽油中のジベンゾチオフェン、１−、２−または３−メチルベンゾチオフェン等に対して高い脱硫活性を示す。本触媒の充填割合は、第一水素化域にて４−メチルジベンゾチオフェンや４，６−ジメチルジベンゾチオフェン以外の硫黄化合物のうち７０〜９５モル％が脱硫されるように設定するのが好ましい。第一水素化域の触媒割合が小さいと脱硫効率が悪くなるばかりでなく、第二水素化域の触媒のコーキングによる劣化速度が大きくなり好ましくない。第一水素化域の触媒割合が大きすぎると第二水素化域で用いるアルミナまたはアモルファスシリカアルミナ８５〜９９重量％とゼオライト１〜２０重量％とを含む多孔質担体にニッケルとタングステンを担持した触媒の割合が小さくなり、４−メチルジベンゾチオフェンや４，６−ジメチルジベンゾチオフェンの脱硫が進まず深度脱硫ができなくなる。
【００１１】
第二水素化域にはアルミナまたはアモルファスシリカアルミナ８５〜９９重量％とゼオライト１〜２０重量％とを含む多孔質担体にニッケルとタングステンを担持した触媒を全触媒量に対して２０〜６０容量％用いる。この触媒は、第一水素化域では脱硫され難い４−メチルジベンゾチオフェンや４，６−ジメチルジベンゾチオフェンの脱硫に高活性を示す。第二水素化域では副反応としてチオールやスルフィドが生成する。また反応条件によっては製品が若干着色する場合もある。ニッケルとタングステンを担持した触媒は水素化能力が高いため、ジベンゾチオフェンのフェニル基を水素化し、４−メチルジベンゾチオフェンや４，６−ジメチルジベンゾチオフェンの脱硫を容易にする。本触媒は水素化分解活性が高いので、ナフサ留分や灯油留分が副生するが、これら留分は付加価値の高い留分であり、経済的損失はない。
【００１２】
第三水素化域にはアルミナを主成分とする多孔質担体にコバルト及び／又はニッケルと、モリブデンを担持した触媒を全触媒量に対して１０〜３０容量％用いる。第三水素化域では、第二水素化域で副生したチオールやスルフィドの脱硫と着色物質の処理を行う。高圧の水素化雰囲気でもチオールやスルフィドが副生し、これらの脱硫が脱硫率向上のため不可欠であることは、従来より報告がある（D.P.Satchellら、Oil and Gas Journal,123, Dec. 1, (1975））。
【００１３】
このように水素化域ごとに目的に応じた最適な触媒を配置し、高い脱硫率を得る装置及び方法は、本発明者が脱硫のメカニズムの研究を重ね、かつ触媒の特徴を詳細に検討した上で見出されたものであり、全く新規な考え方に基づく発明である。
なお、各水素化域に対する触媒の充填割合は、原料油に含まれる硫黄化合物の組成や目的とする製品の硫黄分濃度を勘案して、本特許の設定範囲の中で決めることができる。その範囲は、全触媒量に対して、第一水素化域の触媒が２０〜６０容量％、第二水素化域の触媒が２０〜６０容量％、第三水素化域の触媒が１０〜３０容量％である。さらに好ましくは、第一水素化域の触媒が３０〜５０容量％、第二水素化域の触媒が４０〜６０容量％、第三水素化域の触媒が１０〜２０容量％である。
【００１４】
本発明の第一および第三水素化域使用する触媒に担持する活性金属量は、通常の軽油の脱硫触媒に採用されている量を採用することができる。すなわち担体の重量を１００重量部として（ゼオライトまたはカリウムを含めた重量）、ＣｏあるいはＮｉは酸化物換算で１〜１０重量部、好ましくは３〜６重量部であり、Ｍｏは酸化物換算で１０〜３０重量部、好ましくは１５〜２５重量部である。金属量は少ないと活性が不足し、また触媒の失活速度が大きくなる。一方、多すぎても活性が飽和してしまい不経済である。ＣｏあるいはＮｉとＭｏの比は最大脱硫活性が得られる比を採用すれば良いが、好ましくはＭｏＯ3 ／ＣｏＯ（またはＮｉＯ）の重量比を２．５〜４．５、さらに好ましくは３．０〜４．０である。
【００１５】
本発明の第二水素化域にはアルミナまたはアモルファスシリカアルミナ８５〜９９重量％とゼオライト１〜２０重量％とを含む担体を使用する特徴があるが、ゼオライトとしてはＡ型ゼオライト、Ｘ型ゼオライト、Ｙ型ゼオライト、Ｌ型ゼオライト、ＭＦＩ型ゼオライト、モルデナイト等が使用できる。中でも、Ｙ型ゼオライトを脱アルミニウムして熱安定を高めたＵＳＹ型ゼオライトが最も好ましい。これらゼオライトはイオン交換してブレンシュテッド酸点を発現させるが、プロトン、アルカリ土類金属、希土類金属等でイオン交換することができる。ゼオライトはアルミナのゲルに混合して成形して焼成してもよいし、成形したアルミナ担体にバインダーを用いて付着させてもよい。ニッケルとタングステンの担持量は、担体の重量を１００重量部として（ゼオライトまたはカリウムを含めた重量）、Ｎｉは酸化物換算で１〜１０重量部、好ましくは３〜６重量部であり、Ｗは酸化物換算で５〜３０重量部、好ましくは１０〜２５重量部である。
【００１６】
各水素化域の触媒として、脱硫活性等を改善するために少量の各種改質成分を加えた触媒を使用してもさしつかえない。たとえば、燐を加えると金属の分散が良くなるとともにブレンシュテッド酸点が増加するため、難脱硫性の４−メチルジベンゾチオフェンや４，６−ジメチルジベンゾチオフェンの脱硫活性が向上するので、第二水素化域の触媒に加えると効果がある場合があるが、着色の原因を作ることがあるので、それへの対処が望ましい。一方、カリウムやマグネシウムの添加はブレンシュテッド酸点を減少させ、着色の原因となるチオールやスルフィドの生成を抑制するので、第三水素化域の触媒に加えると効果がある場合がある。
【００１７】
本発明が適用できる軽油は、直留軽油、接触分解軽油、熱分解軽油等の沸点範囲２２０〜３８０℃の留分であり、これら原料油を一度他の装置で水素化処理した軽油を本発明により深脱処理することもできる。本発明は沸点のさらに高い減圧軽油の脱硫にも有効であるが、重質成分を多量に含む常圧残油の脱硫に対しては第二水素化域の触媒の失活が顕著であり適用が難しい。
原料油に含まれる硫黄分の量は特に限定されないが、通常の直留軽油の場合は１〜２重量％程度である。生成油の硫黄分の量は必要に応じて任意に定めることができ、反応温度、圧力、液空間速度等の反応条件を最適化することにより必要とされる脱硫率を達成できる。
本発明で脱硫された軽油は、軽油自動車用レギュラーあるいはプレミアムディーゼル燃料として使用できる。この際必要に応じて潤滑性向上剤、セタン価向上剤、清浄剤を配合できるのは当然のことである。また、Ａ重油等に混合して使用することもできる。
【００１８】
本発明の反応条件としては、通常の軽油の脱硫条件を採用することができる。すなわち、温度３２０〜４２０℃、圧力５〜１５ＭＰａ、ＬＨＳＶ０．５〜３ｈ-1、水素／油比１０００〜５０００ｓｃｆｂの条件の中から目標とする脱硫率により設定できる。通常の脱硫条件を採用しながら高い脱硫率が達成できるのは本発明の大きな特徴である。生成物の硫黄含有量が０．００５重量％以下である、いわゆる超深度脱硫を達成するためには、温度３３０〜４００℃、圧力７〜１５ＭＰａ、ＬＨＳＶ０．５〜１ｈ-1、水素／油比１０００〜５０００ｓｃｆｂの条件が最適である。
さらに本発明は高圧の条件下でその性能がいかんなく発揮されるので、圧力１０〜１５ＭＰａの高圧下、温度３２０〜３７０℃、ＬＨＳＶ０．５〜２ｈ-1、水素／油比１０００〜５０００ｓｃｆｂの条件下で、第一水素化域、第二水素化域、第三水素化域の順で、硫黄を含有する石油系炭化水素の軽油留分を通油して水素化脱硫すると、生成物として硫黄含有量０．０００１〜０．００５重量％でかつ色相がセイボルトカラー＋２０〜＋２５、更に処理条件の特定などによって０．０００１以下で、セイボルトカラーを限りなく＋３０に近くすることもでき、硫黄含量の極めて少なく、又セイボルトカラーの改善された，極めて性状の優れた低公害軽油が製造できる。従来技術の圧力範囲は３〜７ＭＰａ程度であり、本発明は高圧下でも優れた性能を示すので、圧力条件の１０〜１５ＭＰａという圧力下では、従来技術よりも低温で反応を進めることができ、原料軽油留分中に含まれている芳香族炭化水素の水素化反応を熱力学的平衡上有利に進行させることができる。そのため、本発明で得られる製品中の芳香族炭化水素の含有率は従来技術よりも極めて低く、ディーゼル燃料として使用する際に黒煙の排出の少ない良質の製品を製造することができる。このように、高圧下でも実施可能な本発明は従来技術と全く異なるものであり、それは得られる製品が従来技術では硫黄分０．０５重量％程度であったものが、本発明では硫黄分０．００５重量％かつ色相もセイボルトカラーで＋２０以上と優れていることからも明らかである。
【００１９】
本発明に使用する反応器は、従来から知られているいかなる様式の反応器、例えば固定床、移動床いずれでも良く、ダウンフロー式、アップフロー式いずれでもよい。これらの中で最も適しているのは、固定床ダウンフロー式反応器である。これは従来から軽油の脱硫に用いられている反応器様式であるため、従来の装置をそのまま使用することができる。各水素化域ごとに触媒の充填ベットを分ける必要は特にない。反応器は通常１反応器を複数の触媒ベットに分けたものが使用できるが、必要に応じて複数の反応器を使用することもできる。深脱条件では液体と気体が共存するいわゆるトリクルベットであるため、各触媒ベットの上には液体を均一に分散させるディストリビュータを設置することが望ましい。また発熱状況により、クウェンチ水素を最適な場所で導入して発熱を制御してもよい。水素は硫化水素をアミン溶液で吸収除去した後にリサイクルして使用することができる。実際の装置には、押し出し成形した触媒が使用され、触媒は従来の方法によって反応器にソック充填またはデンス充填される。触媒を予備硫化した後、水素とともに加熱した原料油を触媒を充填した反応器に通油する。使用済の触媒は通常の焼成再生処理によって繰り返し使用しても差し支えない。
【００２０】
【実施例】
本発明を実施例によりさらに詳細に説明する。
【００２１】
〔実施例１〕
内径１インチの反応管の上から第一水素化域、第二水素化域、第三水素化域とし、第一水素化域にはγ−アルミナ担体１００重量部に対してコバルト４重量部（ＣｏＯ換算）とモリブデン２２重量部（ＭｏＯ3 換算）を担持した触媒を８０ｍｌ充填し、第二水素化域にはアモルファスシリカアルミナ９０重量％とプロトン交換ＵＳＹ型ゼオライト１０重量％とを含む担体にニッケル４重量部（ＮｉＯ換算）とタングステン２０重量部（ＷＯ3 換算）を担持した触媒を８０ｍｌ充填し、第三水素化域にはγ−アルミナ担体にニッケル４重量部（ＮｉＯ換算）とモリブデン２０重量部（ＭｏＯ3 換算）を担持した触媒を４０ｍｌ充填した。この触媒をジメチルジスルフィドを含む直留灯油（硫黄分３重量％）を用いて３００℃、７ＭＰａ、ＬＨＳＶ２ｈ-1、水素／油比１０００ｓｃｆｂの条件下で、４時間、予備硫化した後、中東系の直留軽油（沸点２２８〜３７１℃、硫黄分１．５３重量％）を温度３５０℃、圧力７ＭＰａ、ＬＨＳＶ２ｈ-1、水素／油比２０００ｓｃｆｂの条件で通油して脱硫した。生成油の硫黄分は０．０２４重量％であり、色はセイボルトカラー（ＪＩＳＫ−２５８０）で＋１８であった。
【００２２】
〔実施例２〕
実施例１で使用した反応管に、第一水素化域および第二水素化域には実施例１と同じ触媒を同量充填し、第三水素化域には１重量％のカリウムを含有するγ−アルミナ担体にコバルト４．５重量部（ＣｏＯ換算）とモリブデン２０重量部（ＭｏＯ3 換算）を担持した触媒を２０ｍｌ充填した。この触媒を実施例１と同様に予備硫化し、実施例１の原料軽油を用いて同一条件で脱硫した。生成油の硫黄分は０．０２３重量％であり、色はセイボルトカラーで＋２０であった。
【００２３】
〔実施例３〕
実施例１と同じ触媒を同量充填し、この触媒を実施例１と同様に予備硫化し、実施例１の原料軽油を温度３６０℃、圧力１２ＭＰａ、ＬＨＳＶ０．８ｈ-1、水素／油比２０００ｓｃｆｂの条件で通油して脱硫した。生成油の硫黄分は０．００３重量％であり、色はセイボルトカラーで＋２３であった。
【００２４】
〔実施例４〕
中東系の直留軽油（沸点２２８〜３７１℃、硫黄分１．５３重量％）８０容量％と、接触分解軽油（沸点２１２〜３４５℃、硫黄分０．２３重量％）１０容量％と、直脱分解軽油（沸点１８１〜３４６℃、硫黄分０．０８重量％）１０容量％とを混合した。この混合軽油を実施例１の触媒に、温度３５０℃、圧力５ＭＰａ、ＬＨＳＶ２ｈ-1、水素／油比２０００ｓｃｆｂの条件で通油して脱硫した。生成油の硫黄分は０．０３３重量％であり、色はセイボルトカラーで＋１４であった。なお本実験を３０日間継続した後の生成油の硫黄分は０．０３６重量％であり、色はセイボルトカラーで＋１５であった。
【００２５】
〔比較例１〕
実施例１で使用した反応管に、γ−アルミナ９７重量％とプロトン交換ＵＳＹ型ゼオライト３重量％とを含む担体にニッケル３重量部（ＮｉＯ換算）とモリブデン２０重量部（ＭｏＯ3 換算）を担持した触媒を２００ｍｌ充填した。この触媒を実施例１と同様に予備硫化し、実施例１の原料軽油を用いて同一条件で脱硫した。生成油の硫黄分は０．０２９重量％であり、色はセイボルトカラーで−２であった。
【００２６】
〔比較例２〕
実施例１で使用した反応管に、γ−アルミナ担体１００重量部に対してコバルト４重量部（ＣｏＯ換算）とモリブデン２２重量部（ＭｏＯ3 換算）を担持した触媒を２００ｍｌ充填した。この触媒を実施例１と同様に予備硫化し、実施例１の原料軽油を用いて同一条件で脱硫した。生成油の硫黄分は０．０３１重量％であり、色はセイボルトカラーで＋１８であった。
【００２７】
〔比較例３〕
比較例２の触媒に実施例４の混合軽油を通油して脱硫した。反応条件は実施例３と同じである。生成油の硫黄分は０．０６１重量％であり、色はセイボルトカラーで−８であった。なお本実験を３０日間継続した後の生成油の硫黄分は０．０４１重量％であり、色はセイボルトカラーで−１２であった。
【００２８】
【発明の効果】
硫黄を含有する石油系炭化水素の軽油留分の水素化脱硫を行う際に、本発明を採用することにより高い脱硫率で、着色の極めて少ない軽油が得られるばかりでなく、コークの生成が抑制できるため長期安定した触媒活性が得られる。